(57)【要約】【課題】任意の図柄が印刷されたネイルシールを、爪などの転写部位に対し、高度な技能を要することなく短時間で所望の位置に貼着することのできる、ネイルシール転写テープおよびネイルシール転写装置を提供すること。【解決手段】図柄の付与が容易なネイルトシール転写テープおよびネイルシール転写装置が開示されている。本発明のネイルシール転写テープは、図柄が印刷されたアートシール層およびシール接着剤層を備えるネイルシールの該アートシール層上に剥離フィルムを積層してなる。このネイルシール転写テープは、ネイルシール転写装置のハウジングに設けられた開放部から引き出され、押圧転写部で所望の転写部位に押し当てられることにより、所望の部位にネイルアートを転写することができる。【選択図】  図１
2004202768.tif 000002
【特許請求の範囲】
【請求項１】
図柄が印刷されたアートシール層およびシール接着剤層を備えるネイルシールの該アートシール層上に剥離フィルムを積層してなる、ネイルシール転写テープ。
【請求項２】
前記アートシール層と前記剥離フィルムとが剥離接着剤層を介して積層されている、請求項１に記載のネイルシール転写テープ。
【請求項３】
前記アートシール層と前記剥離フィルムとの間の剥離強度が、該アートシール層と前記シール接着剤層との間の剥離強度よりも小さい、請求項１または２に記載のネイルシール転写テープ。
【請求項４】
前記剥離フィルムが透明なフィルムである、請求項１から４のいずれかに記載のネイルシール転写テープ。
【請求項５】
ネイルシールを転写するための装置であって、
開放部を備える開閉可能なハウジング；
該ハウジングの外部かつ該開放部の一部に設けられた押圧転写部；ならびに
図柄が印刷されたアートシール層およびシール接着剤層を備えるネイルシールの該アートシール層上に透明な剥離フィルムを積層してなる積層体を巻き付けてなる、ネイルシール転写テープであって、該ハウジング内に設けられており、該ハウジングの該開放部から該押圧転写部上に引き出され得るように配置され、かつ該剥離フィルムと該押圧転写部とが対向接触し得る方向に配置されている、テープ；
を備える、装置。
【請求項６】
前記押圧転写部が、前記引き出されたネイルシール転写テープの長手方向に沿って湾曲面を形成している、請求項５に記載の装置。
【請求項７】
前記ハウジング内に、前記押圧転写部でネイルシールを転写した後に残存する剥離フィルムを巻き取るための巻き取り部を備える、請求項５または６に記載の装置。
【請求項８】
前記アートシール層と前記剥離フィルムとが剥離接着剤層を介して積層されている、請求項５から７のいずれかに記載の装置。
【請求項９】
前記アートシール層と前記剥離フィルムとの間の剥離強度が、該アートシール層と前記シール接着剤層との間の剥離強度よりも小さい、請求項５から８のいずれかに記載の装置。
【発明の詳細な説明】
【０００１】
【発明の属する技術分野】
本発明は、ネイルシール転写テープおよびそれを用いたネイルシール転写装置に関し、ヒトの爪に装飾を施すために使用されるネイルシールをより簡易に貼着するのできるネイルシール転写テープおよびそれを用いた転写装置に関する。
【０００２】
【従来の技術】
古来より、ヒトは自らを美しく見せるため、種々の装飾手段を見出してきた。例えば、化粧はその典型であり、現代においては、ルージュ、アイシャドウなどの化粧品が数多く開発されている。
【０００３】
このような装飾の他の例として、爪へのファッション性を高めることが知られている。爪に装飾を施すための手段としては、マニキュアおよびペディキュアがある。マニキュアまたはペディキュアは、例えば、ヒトの手または足の爪に、特定の色彩を付与するか、あるいは光沢を与えるために使用され、ファッション性を高めることができる。
【０００４】
近年では、爪への色彩的装飾の要求がさらに高まっている。これはネイルアートと呼ばれ、代表的には、複数色のマニキュアまたはペディキュアを使用して、手または足の爪に、模様、線図などの図柄を直接描くというものである。
【０００５】
ネイルアートを行うためには、装飾の程度により他段階の工程が必要とされる。代表的な例としては、まず、手または足の指のネイルプレート（爪甲）を爪磨きあるいはリッジフィラー（凹凸を目立たなくするためのベースコート）を用いることにより、ネイルプレートの微細な凹凸が削られ、滑らかな面が形成される。次いで、フリーエッジ（爪先）がファイル（爪用やすり）でファイリング（やすりがけ）され、所望の形状に成形される。さらに、ネイルプレートには爪用プライマー液が塗布され、滑らかさが向上させられる。その後、ネイルプレート上に、水玉模様または他の幾何学的模様のような図柄が、種々のマニキュア等の色彩材料を用いて、ハケまたはエアブラシで塗布される。またさらに、この塗布面には爪用トップコート液がさらに付与され、爪の光沢性が向上させられる。
【０００６】
このように、従来のネイルアートを行うには、他段階の工程を手作業で、全ての手または足の爪に行うために非常に長時間を要する。また、自らの爪に自らがネイルアートを施すことは非常に困難であり、図柄自体の作製にも非常に高度な技能が必要である。さらに、ネイルプレート上に付与される各種の液が乾燥するまでは、何も行うことができず、ただ乾燥し、そして固着することを待つのみである。
【０００７】
上記のようにして一端、爪に施されたネイルアートは、リムーバー液と呼ばれる特殊な液で除去することができる。しかし、使用者の趣向で安易にネイルアートの図柄を変更することは、上記図柄を付与する工程を考慮すれば、必ずしも容易とはいえない。
【０００８】
他方、予め所定の形状に加工された、１ｍｍ前後の厚みを有するプラスチック板にネイルアートを施し、これをネイルグルーを用いてネイルプレート上に固定させるネイルチップ（付け爪）が知られている。ネイルチップは使用者の趣向に合わせて、比較的容易かつ短時間でネイルアートの変更を行うことができる。しかし、ネイルチップにもいくつかも問題が挙げられている。
【０００９】
例えば、ネイルチップが装着される爪自体の個人差が大きい点である。すなわち、ネイルプレートの大きさおよび湾曲の程度が個人によって大きく異なり、かつ全ての爪の大きさもそれぞれ異なるため、フィット感に優れるネイルチップを効率良く生産することは非常に困難である。
【００１０】
近年では、装着者のフィット感を高めるため、特殊な樹脂を使用して、ヘアドライヤーによる熱風をあてるか、または温水に浸漬することよって、自ら爪のネイルプレートの湾曲に応じて形状を任意に変更することができるネイルチップも知られている（例えば、特許文献１および特許文献２）。
【００１１】
しかし、このような形状を任意に変更できるネイルチップにもいくつかの問題が指摘されている。例えば、ネイルチップとネイルプレートとを固定するネイルグルーにも強度に対する耐久性の問題である。すなわち、ネイルチップを装着した爪に軽い衝撃を加えると、ネイルチップ自体が剥がれ落ちるということもある。そのため、ネイルチップを装着した者は、このようは自体に陥らないために、常に爪先に注意を配らなければならない。
【００１２】
さらに、現在では、上記マニキュア等によるネイルアートの利便性（直接爪上に図柄を付与できる点）と、ネイルチップの利便性（容易に図柄の変更が出来る点）との両方を満足させる、ネイルシールも知られている。ネイルシールは、特定の図柄が印刷された薄いプラスチックフィルムと接着剤層とを有する積層体である。使用者は、ネイルシールの接着剤層側をネイルプレート上に配置することにより、所望の図柄でなるネイルアートを施すことができる。しかし、このネイルシールは非常に小さいため、所望の図柄をネイルプレート上の所望の位置に配置することが比較的困難であり、ピンセットのような手段を用いて１つずつ時間をかけて配置しなければならない。
【００１３】
【特許文献１】特開２００１−１５７６０７号公報
【特許文献２】特開２００２−２３８６５２号公報
【００１４】
【発明が解決しようとする課題】
本発明は、上記問題の解決を課題とするものであり、その目的とするところは、任意の図柄が印刷されたネイルシールを、爪などの転写部位に対し、高度な技能を要することなく短時間で所望の位置に貼着することのできる、ネイルシール転写テープおよびネイルシール転写装置を提供することにある。
【００１５】
【課題を解決するための手段】
本発明は、図柄が印刷されたアートシール層およびシール接着剤層を備えるネイルシールの該アートシール層上に剥離フィルムを積層してなる、ネイルシール転写テープである。
【００１６】
１つの実施態様では、上記ネイルアートシール層と上記剥離フィルムとは剥離接着剤層を介して積層されている。
【００１７】
１つの実施態様では、上記ネイルアートシール層と上記剥離フィルムとの間の剥離強度は、該ネイルアートシール層と上記シール接着剤層との間の剥離強度よりも小さい。
【００１８】
１つの実施態様では、上記剥離フィルムは透明なフィルムである。
【００１９】
本発明は、ネイルアートシールを転写するための装置であって、開放部を備える開閉可能なハウジング；該ハウジングの外部かつ該開放部の一部に設けられた押圧転写部；ならびに図柄が印刷されたネイルアートシール層およびシール接着剤層を備えるネイルアートシールの該ネイルアートシール層上に透明な剥離フィルムを積層してなる積層体を巻き付けてなる、ネイルアートシール転写テープであって、該ハウジング内に設けられており、該ハウジングの該開放部から該押圧転写部上に引き出され得るように配置され、かつ該剥離フィルムと該押圧転写部とが対向接触し得る方向に配置されている、テープ；を備える、装置である。
【００２０】
１つの実施態様では、上記押圧転写部は、上記引き出されたネイルシール転写テープの長手方向に沿って湾曲面を形成している。
【００２１】
１つの実施態様では、上記ハウジング内に、上記押圧転写部でネイルシールを転写した後に残存する剥離フィルムを巻き取るための巻き取り部を備える。
【００２２】
１つの実施態様では、上記アートシール層と前記剥離フィルムとが剥離接着剤層を介して積層されている。
【００２３】
１つの実施態様では、上記ネイルアートシール層と上記剥離フィルムとの間の剥離強度は、該アートシール層と前記シール接着剤層との間の剥離強度よりも小さい。
【００２４】
【発明の実施の形態】
以下、本発明を図面を用いて詳述する。
【００２５】
図１は、本発明のネイルシール転写テープの一例を説明するための模式図であって、（ａ）はネイルシール転写テープを剥離フィルム側から見た場合の一部切欠図であり、そして（ｂ）は（ａ）のＡ−Ａ’方向における当該テープの断面図である。
【００２６】
図１の（ａ）に示されるように、本発明のネイルシール転写テープ１００は、ネイルシール１０と剥離フィルム４０との積層体である。
【００２７】
本発明に用いられるネイルシール１０は、限定されない、任意の模様、線、図などでなる図柄の形状を有し、図１の（ｂ）に示されるように、アートシール層１２とシール接着剤層１４とのさならる積層体である。
【００２８】
アートシール層１２は、例えば、任意の図柄が当業者に公知の手段で印刷された、プラスチックフィルムである。アートシール層１２に用いられるプラスチックフィルムを構成する材料の例としては、ポリエステル、ポリエチレン、ポリプロピレン、ポリアミド、ポリスチレン、ポリ酢酸ビニル、ポリビニルアセタール、ポリ塩化ビニル、ポリ塩化ビニリデン、およびポリアミド、ならびにこれらの組合せでなる熱可塑性樹脂が挙げられる。このようなフィルムに印刷される印刷材料の種類は特に限定されず、使用されるプラスチックフィルムの種類に合わせて当業者によって適宜選択され得る。アートシール層１２の厚みは必ずしも限定されず、当業者によって適宜選択され得る。
【００２９】
上記プラスチックフィルムに図柄が印刷される側は、使用するプラスチックフィルムの種類によって当業者により適宜選択され得る。すなわち、不透明なプラスチックフィルムが用いられる場合、図柄は、図１の（ｂ）に示される図において、剥離フィルム４０と接触する側のプラスチックフィルム上に設けられている。他方、透明なプラスチックフィルムが使用される場合、図柄は剥離フィルム４０と接触する側またはシール接着剤層１４と接触する側のいずれに設けられていてもよい。
【００３０】
本発明においては、アートシール層１２自体の大きさは特に限定されず、当業者によって適切な大きさに設計され得る。
【００３１】
本発明に用いられるシール接着剤層１４は、上記アートシール層１２との接着性に優れるとともに、爪との接着性にも優れる接着剤でなる。また、好ましくは、後述するような上記アートシール層とシール接着剤層との間の剥離強度を有するものが選択され得る。シール接着剤層１４を構成する接着剤は、爪などの転移部位と接触させるため、人体に悪影響を及ぼさない材料でなることが好ましい。
【００３２】
本発明に用いられるシール接着剤層１４を構成する接着剤の例としては、ウレタン系接着剤が挙げられるが、特にこれに限定されない。
【００３３】
シール接着剤層１４の厚みもまた、ネイルシールが転写される部位によって変化するため、必ずしも限定されず、当業者によって適宜選択され得る。本発明においては、シール接着剤層１４はアートシール層１２の全面に配置されていることが好ましく、その厚みも均一であることが好ましい。
【００３４】
このような上記アートシール層１２およびシール接着剤層１４を有するネイルシール１０は、当業者に公知の手段を用いて製造され得る。
【００３５】
本発明のネイルシール転写テープはまた、上記ネイルシール１０のアートシール層１２側に、剥離フィルム４０が積層されている。本発明のネイルシール転写テープにおいては、剥離フィルム４０は透明であることが好ましい。ここで、本明細書中に用いられる用語「透明な剥離フィルム」とは、当該剥離フィルムの裏側（ネイルシール１０が積層されていない側）から見た場合、ネイルシール１０が透けて見える程度の透明性または半透明性を有するフィルムを包含していう。剥離フィルム４０透明であることにより、本発明のテープを使用する者は、剥離フィルムを介して転写部位の位置を確認しながら、ネイルシールをより正確な位置に配置することができる。
【００３６】
本発明に用いられる剥離フィルム４０はネイルシールとの剥離を容易にするため、両者の接着性をできるだけ低く抑えることのできる材料および形状を有していることが好ましい。剥離フィルムに使用される材料の例としては、各種プラスチック、および紙が挙げられる。本発明に用いられる剥離フィルムの形状としては、当業者に公知の表面処理を行って平滑にされたもの；エンボス加工を施してアートシールとの接触面を低減させるもの；などが挙げられるが、必ずしもこれらに限定されない。剥離フィルム４０はまた、均一な厚みを有することが好ましい。
【００３７】
なお、本発明においては、剥離フィルム４０と、アートシール層１２と、シール接着剤層１４との間のそれぞれの界面における剥離強度が特定の関係を有することが好ましい。すなわち、本発明においては、アートシール層１２と剥離フィルム４０との間の剥離強度が、アートシール層１２とシール接着剤層１４との間の剥離強度よりも小さくなるように各層の材料を選択することが好ましい。本発明において各層界面の剥離強度がこのような関係を有することにより、転写部位にネイルシールを、より均一に転写することができる。
【００３８】
本発明はまた、上記剥離強度の関係に影響を与えない範囲で、ネイルシールが配置される側の剥離フィルム表面に、剥離接着剤層（図示せず）が設けられていてもよい。この剥離接着剤層は、剥離フィルムとネイルシールとの間の予備的な接着状態を維持し得るものである。このため、剥離接着剤層には、比較的接着力の弱い材料が選択され得る。あるいは、剥離接着剤層は、剥離フィルムとネイルシールとの間で部分的に設けられていてもよい。剥離接着剤層に用いられ得る材料は当業者に公知であり、適宜選択され得る。
【００３９】
上記ネイルシール１０上への剥離フィルム４０の積層は、その方法自体は特に限定されず、当業者に公知の手段を用いて行われ得る。
【００４０】
本発明のネイルシール転写テープは、ネイルシールを転写する転写部位（例えば、ネイルプレート）の大きさに依存して、任意の幅に成形されている。本発明のネイルシール転写テープは、ネイルプレート全体を覆い得る大きさ、またはネイルプレートの一部分を装飾するために、ネイルプレートよりも細い大きさのいずれに設計されていてもよい。具体的な幅の例としては、好ましくは、３ｍｍ〜１５ｍｍ、より好ましくは３ｍｍ〜１０ｍｍが挙げられる。
【００４１】
本発明のネイルシール転写テープの長さは特に限定されない。具体的な長さの例としては、１ｃｍ〜３００ｃｍである。比較的長いテープに成形される場合は、紙製またはプラスチック製の筒に巻きつけられていてもよい。
【００４２】
本発明のネイルシール転写テープを用いて、爪へのネイルシールの転写は以下のようにして行われる：まず、必要に応じて、爪磨きあるいはリッジフィラーを用いて微細な平滑にされたネイルプレート（爪）上に、本発明のテープがシール接着剤層とネイルプレートとが対向するように配置される。次いで、使用者は剥離フィルムの上からネイルアートが存在する部分を押圧するか、または擦る。これにより、ネイルアートのシール接着剤層がネイルプレート上により強固に接着される。その後、徐々に剥離フィルムを剥がすことにより、ネイルシールは剥離フィルムから外れ、ネイルプレート側にきれいに転写される。なお、最終的に、使用者は、所望に応じて、爪用トップコート液を付与して表面光沢を与えても良い。なお、本発明のテープを用いて転写されたネイルアートは、通常のリムーバー液を用いてネイルプレートから容易に除去される。
【００４３】
本発明のネイルシール転写テープは、爪へのネイルシートの転写以外にも利用することができる。例えば、小物入れ、バッグ、コンパクト、手鏡、アクセサリー、携帯電話、ＰＨＳ、ポケットベル、シャープペンシルまたはボールペンのような筆記具の胴部、下敷き、定規、ブックカバー、置物、家具などの物品に対し、ワンポイント的な装飾を施すことも可能である。
【００４４】
上記ネイルシール転写テープは、以下に示される本発明のネイルシール転写装置を用いることにより、より簡易にネイルプレートにネイルシールを転写することができる。
【００４５】
次に、本発明のネイルシール転写装置について説明する。
【００４６】
図２は、本発明のネイルシール転写装置の一例を説明するための模式図である。
【００４７】
図２に示されるように、本発明のネイルシール転写装置２００は、開放部５２を有する、開閉可能なハウジング５０、５０’と、当該開放部５２に隣接してハウジング５０、５０’に設けられた押圧転写部５４とを備える。また、ハウジング５０、５０’の内部には、上記本発明のネイルシール転写テープ１００が、開放部５２から引き出し可能であり、かつ当該テープ１００の剥離フィルムが押圧転写部５４と対向し合う方向に配置されている。
【００４８】
図３は、図２に示される本発明のネイルシール転写装置から一方のハウジング５０’を取り除いた状態を説明するための当該転写装置の分解図である。
【００４９】
図３において、ネイルシール転写テープ１００は、巻き付けられたロール状の形態でハウジング内に収められている。本発明の装置２００においては、テープ１００の引き出しによってロール部分の回転を効率良くさせるために、ハウジング内にこのテープ１００でなるロールを支持するための支柱５６が設けられていることが好ましい。
【００５０】
さらに、本発明に用いられる押圧転写部５４のうち、テープ１００と対向接触する部分は、引き出されたテープ１００の長手方向に沿って湾曲面を形成していることが好ましい。この湾曲面を得るために設けられる曲率は特に限定されない。このような湾曲面を有することにより、押圧転写部５４にて、比較的弱い力でネイルシール転写テープ１００からネイルシールを爪に転写することができる。
【００５１】
本発明のネイルシール転写装置２００を構成する各種部材（例えば、ハウジング５０、５０’および押圧転写部５４）に使用される材料は特に限定されず、プラスチックまたは金属のいずれであってもよい。ハウジング５０、５０’および押圧転写部に使用可能な材料の例としては、アクリロニトリル−ブタジエン−スチレン共重合体（ＡＢＳ樹脂）、アクリロニトロリル−スチレン共重合体（ＡＳ樹脂）、アクリロニトロリル−エチレンプロピレンゴム−スチレン共重合体（ＡＥＳ樹脂）、アクリロニトリル−アクリルゴム−スチレン共重合体（ＡＡＳ樹脂）、ポリエチレン、ポリプロピレン、ポリスチレン、ポリエチレンテレフタレート（ＰＥＴ）樹脂、またはフェノール樹脂；アルミニウム、ステンレススチール、銅、マグネシウム合金；ならびにこれらの組合せ；が挙げられる。リサイクルが容易であり、そして廃棄焼却時の環境に与える影響を考慮すれば、ＡＢＳ樹脂、ＡＳ樹脂、ＡＥＳ樹脂、ＡＡＳ樹脂、ポリエチレン樹脂、ポリプロピレン樹脂、ポリスチレン樹脂、およびポリウレタン樹脂ならびにこれらの組合せが好ましい。なお、本発明のネイルシール転写装置２００の大きさは、内部に配置されるネイルシール転写テープの大きさに依存するため、特に限定されない。
【００５２】
本発明のネイルシール転写装置２００を用いて、ネイルアートは以下のようにしてネイルプレート上に転写される。
【００５３】
図４は、本発明のネイルシール転写装置２００を用いて手の指先のネイルプレート上にネイルシールを施す方法を説明するための模式図である。
【００５４】
図４を参照すると、まず、本発明のネイルシール転写装置２００の開放部から、転写を希望するネイルシール（図示せず）を押圧転写部５４上に配置されるまで、上記ネイルシール転写テープ１００が引き出される。この状態において、ネイルプレート６０上に押圧転写部５４をテープ１００を介して配置する。その後、転写装置２００の開放部からテープ１００が引き出される方向（図４において矢印Ｘの方向）に転写装置２００を引張ることにより、押圧転写部５４がテープ１００をネイルプレート６０側に押し付けられる。このとき、テープ１００のシール接着剤層（図示せず）がネイルプレートと強固に接着され、同時に転写装置２００の移動によって、テープ１００の剥離フィルムがその剥離強度の差異によりネイルシールをネイルプレート６０に残したまま、ネイルシールから剥がれる。他方、ネイルシール転写装置２００の押圧転写部５４上には、新たに開放部から引き出されたテープ１００が配置されており、さらなるネイルプレートへのネイルシールの転写が可能となる。このようにして、ネイルプレート６０上にネイルシールが容易に転写される。
【００５５】
なお、ネイルシールを転写した後に残存する剥離フィルムは、必要に応じて、使用者によってハサミ、カッターナイフなどでカットされてもよい。全てのテープを使用した後は、ハウジングを開き、新規なテープを挿入することによって、本発明の転写装置２００は再利用することが可能である。
【００５６】
図５は、本発明のネイルシール転写装置の他の例を説明するための、一方のハウジングを取り除いた転写装置の分解図である。
【００５７】
図５に示されるように、本発明のネイルシール転写装置３００は、ネイルシール転写前のロール状のテープを配置するためのストック部７２と、ネイルシールを転写した後に残存する剥離フィルムを巻き取るための巻き取り部８２とを備える。ストック部７２および巻き取り部８２はそれぞれストックギア７４および巻き取りギア８４を有する。
【００５８】
ストック部７２には、ストックギア７４の中心に、好ましくは１つまたは複数の突起を有する支柱７６が固定されている。支柱７６の突起は、ネイルシール転写前の本発明のテープ１００を巻き付けてなるロール１０２を備える紙製またはプラスチック製の筒７８に設けられた凹部と係合している。その結果、ロール１０２の回転によってストックギア７４は、空回りすることなく連動して回転することができる。ロール１０２における本発明のテープ１００の巻き付け方向は上記と同様であり、すなわち、テープ１００のシール接着剤層が、ロール１０２の半径方向外側に指向するように巻き付けられている。
【００５９】
他方、巻き取り部８２には、巻き取りギア８４の中心に、好ましくは１つまたは複数の突起を有する支柱８６が固定されている。支柱８６の突起は、ネイルシール転写後に残存する剥離フィルムを巻き付けてなる使用済みロール１０４を備える紙製またはプラスチック製の筒８８に設けられた凹部と係合している。その結果、巻き取りギア８４の回転によって、使用済みロール１０４は空回りすることなく連動して回転することができる。
【００６０】
さらに、本発明の転写装置３００においては、ストックギア７４と巻き取りギア８４とが噛み合っている。ストックギア７４と巻き取りギア８４との間のギア比は当業者によって適宜選択され得る。これにより、ネイルシール転写前の本発明のテープ１００を巻き付けてなるロール１０２が回転すると、それに連動して筒７８、支柱７６およびストックギア７４が回転し、さらにギアの噛み合いによって巻き取りギア８４が連動して回転し、最終的に使用済みロール１０４も回転して、ネイルシール転写後に残存する剥離フィルムを自動的に巻き上げることが可能となる。
【００６１】
本発明の転写装置３００はまた、ハウジング５０と押圧転写部５４によって形成される開放部５２と反対側において、図５に示されるように、ハウジング５０と押圧転写部５４によって、第二開放部５２’が形成されている。第二開放部５２’は、押圧転写部５４でネイルシールが転写された後に残存する剥離フィルムを再びハウジング内に導くための孔である。
【００６２】
本発明の転写装置３００における他の構成は、図４に示される転写装置２００のものと同様である。また、本発明の転写装置３００に用いられるストックギア７４、支柱７６、８６、巻き取りギア８４を構成する材料も、プラスチックまたは金属のいずれであってもよい。このような部材に使用可能な材料の例としては、アクリロニトリル−ブタジエン−スチレン共重合体（ＡＢＳ樹脂）、アクリロニトロリル−スチレン共重合体（ＡＳ樹脂）、アクリロニトロリル−エチレンプロピレンゴム−スチレン共重合体（ＡＥＳ樹脂）、アクリロニトリル−アクリルゴム−スチレン共重合体（ＡＡＳ樹脂）、ポリエチレン、ポリプロピレン、ポリスチレン、ポリエチレンテレフタレート（ＰＥＴ）樹脂、またはフェノール樹脂；アルミニウム、ステンレススチール、銅、マグネシウム合金；ならびにこれらの組合せ；が挙げられる。リサイクルが容易であり、そして廃棄焼却時の環境に与える影響を考慮すれば、ＡＢＳ樹脂、ＡＳ樹脂、ＡＥＳ樹脂、ＡＡＳ樹脂、ポリエチレン樹脂、ポリプロピレン樹脂、ポリスチレン樹脂、およびポリウレタン樹脂ならびにこれらの組合せが好ましい。
【００６３】
以上の構成を有することにより、本発明のネイルシート転写装置３００は、押圧転写部５４を所望のネイルプレート上に押し当てて一方向に引くことで、ハウジングの開放部から新規なテープが引き出され、これによって各ロール、ストックギア、巻き取りギアが自動的に回転し、最終的にネイルシール転写後に残存する剥離フィルムを自動的に巻き上げることができる。その結果、上記図４に示される本発明の転写装置２００のように、使用済み（ネイルシール転写後に残存する）剥離フィルムをハサミまたはカッターなどの手段で切断する必要も生じない。なお、テープからアートシールを全て転写した後は、ハウジングを開き、テープを新規なものに交換することによって、本発明の転写装置３００は再利用することが可能である。
【００６４】
【発明の効果】
本発明によれば、他段階でかつ特殊な技能を要することなく、短時間で、所望の図柄を有するネイルシールを容易に爪に転写することができる。また、本発明の用途は爪へのネイルアートの転写に限定されず、使用者の趣向に合わせて、小物入れ、バッグ、コンパクト、手鏡、アクセサリー、携帯電話、ＰＨＳ、ポケットベル、シャープペンシルまたはボールペンのような筆記具の胴部、下敷き、定規、ブックカバー、置物、家具などの物品に対し、ワンポイント的な装飾を施すこともできる。さらに、本発明は比較的コンパクトであるため、携帯することもでき、転写にあたり他の特別の道具も必要としない。
【図面の簡単な説明】
【図１】本発明のネイルシール転写テープの一例を説明するための模式図であって、（ａ）はネイルシール転写テープを剥離フィルム側から見た場合の一部切欠図であり、そして（ｂ）は（ａ）のＡ−Ａ’方向における当該テープの断面図である。
【図２】本発明のネイルシール転写装置の一例を説明するための模式図である。
【図３】図２に示される本発明のネイルシール転写装置から一方のハウジングを取り外した際の状態を説明するための当該転写装置の分解図である。
【図４】本発明のネイルシール転写装置を用いて、手の指先のネイルプレート上にネイルシールを施す方法を説明するための模式図である。
【図５】本発明のネイルシール転写装置の他の例を説明するための、一方のハウジングを取り除いた状態を説明するための当該転写装置の分解図である。
【符号の説明】
ネイルシール            １０
アートシール層          １２
シール接着剤層          １４
剥離フィルム            ４０
ハウジング              ５０、５０’
開放部                  ５２
第二開放部              ５２’
押圧転写部              ５４
支柱                    ５６、７６、８６
ネイルプレート          ６０
ストック部              ７２
ストックギア            ７４
筒                      ７８、８８
巻き取り部              ８２
巻き取りギア            ８４
ロール                  １０２、１０４
ネイルシール転写テープ  １００
ネイルシール転写装置    ２００、３００
【図１】
2004202768.tif 000003
【図２】
2004202768.tif 000004
【図３】
2004202768.tif 000005
【図４】
2004202768.tif 000006
【図５】
2004202768.tif 000007